(57)【要約】      （修正有）【課題】連結部材を各組立棚体の隣接する各天板の天板係脱部間及び隣接する各棚板の棚板係脱部間に係脱して架設することで各組立棚体を左右方向及び又は前後方向に連結することができる組立式整理棚を提供する。【解決手段】複数個の組立棚体Ｓ・Ｓを左右方向及び又は前後方向に配置して連結可能な連結機構４からなり、上記連結機構として、天板３の左右辺部及び前後辺部にそれぞれ天板係脱部３ｄ・３ｄ・・が形成され、棚板１の前後辺部に棚板係脱部１ｄ・１ｄ・・が形成され、左右方向及び又は前後方向に上記組立棚体を複数個対向配置し、各組立棚体の隣接する各天板の天板係脱部間及び隣接する各棚板の棚板係脱部間に係脱自在に架設される連結部材５を設けてなり、上記天板係脱部及び上記棚板係脱部は対向一対の二個の係脱穴部からなり、上記連結部材は隣接する各係脱穴部に挿脱自在な対向一対の計二組の連結凸部からなる。【選択図】図１５
0003199898.tif 000002
【実用新案登録請求の範囲】
【請求項１】
棚板、左右一対の側板及び天板からなる合成樹脂製の組立棚体と、該複数個の組立棚体を左右方向及び又は前後方向に配置して連結可能な連結機構とからなり、上記連結機構として、上記天板の左右辺部及び前後辺部にそれぞれ天板係脱部が形成され、上記棚板の前後辺部に棚板係脱部が形成され、該左右方向及び又は前後方向に上記組立棚体を複数個対向配置し、該各組立棚体の隣接する各天板の天板係脱部間及び隣接する各棚板の棚板係脱部間に係脱自在に架設される連結部材を設けてなり、上記天板係脱部及び上記棚板係脱部は対向一対の二個の係脱穴部からなり、上記連結部材は隣接する各係脱穴部に挿脱自在な対向一対の計二組の連結凸部からなることを特徴とする組立式整理棚。
【請求項２】
複数個の上下の棚板、複数組の左右一対の側板及び天板からなる合成樹脂製の組立棚体と、該複数個の組立棚体を左右方向及び又は前後方向に配置して連結可能な連結機構とからなり、上記連結機構として、上記天板の左右辺部及び前後辺部にそれぞれ天板係脱部が形成され、上記複数個の棚板の前後辺部に棚板係脱部が形成され、該左右方向及び又は前後方向に上記組立棚体を複数個対向配置し、各組立棚体の隣接する各天板の天板係脱部間及び隣接する各棚板の棚板係脱部間に係脱自在に架設される連結部材を設けてなり、上記天板係脱部及び上記棚板係脱部は対向一対の二個の係脱穴部からなり、上記連結部材は隣接する各係脱穴部に挿脱自在な対向一対の計二組の連結凸部からなることを特徴とする組立式整理棚。
【請求項３】
上記係脱穴部に挿脱自在な閉塞部材を設けてなることを特徴とする請求項１又は２記載の組立式整理棚。
【請求項４】
上記左右一対の側板に取手凹部を形成してなることを特徴とする請求項１〜３のいずれか１項に記載の組立式整理棚。
【請求項５】
上記組立棚体の後面に背板を設けてなることを特徴とする請求項１〜４のいずれか１項に記載の組立式整理棚。
【請求項６】
上記組立棚体の上記天板に収納部材を着脱自在に設けてなることを特徴とする請求項１〜５のいずれか１項に記載の組立式整理棚。
【考案の詳細な説明】
【技術分野】
【０００１】
本考案は、例えば、一般家庭に設置され、雑誌、単行本、書籍、衣類、キッチン用品、工具類、日用品、各種の小物類等の収納物を整理収納する際に用いられる組立式整理棚に関するものである。
【背景技術】
【０００２】
従来、この種の組立式整理棚として、棚板、左右一対の側板及び天板からなる合成樹脂製の組立棚体と、複数個の組立棚体を左右方向及び又は上下方向に配置して連結可能な連結機構とからなる構造のものが知られている。
【先行技術文献】
【特許文献】
【０００３】
【特許文献１】実用新案登録第３１０７４８５号
【考案の概要】
【考案が解決しようとする課題】
【０００４】
しかしながらこれら従来構造の場合、上記組立棚体を上下方向及び又は左右方向に連結配置することはできるものの、奥行方向としての前後方向に複数個連結配置することはできず、複数個の棚板の大きさはそれぞれ量産性を考慮して共通仕様となっているから、棚板の奥行寸法より大きな収納物は棚板の前辺部又は後辺部からはみ出すことになり、不安定な収納状態となり、使用の融通性が低下することがあるという不都合を有している。
【課題を解決するための手段】
【０００５】
本考案はこれらの不都合を解決することを目的とするもので、本考案のうちで、請求項１記載の考案は、棚板、左右一対の側板及び天板からなる合成樹脂製の組立棚体と、該複数個の組立棚体を左右方向及び又は前後方向に配置して連結可能な連結機構とからなり、上記連結機構として、上記天板の左右辺部及び前後辺部にそれぞれ天板係脱部が形成され、上記棚板の前後辺部に棚板係脱部が形成され、該左右方向及び又は前後方向に上記組立棚体を複数個対向配置し、該各組立棚体の隣接する各天板の天板係脱部間及び隣接する各棚板の棚板係脱部間に係脱自在に架設される連結部材を設けてなり、上記天板係脱部及び上記棚板係脱部は対向一対の二個の係脱穴部からなり、上記連結部材は隣接する各係脱穴部に挿脱自在な対向一対の計二組の連結凸部からなることを特徴とする組立式整理棚にある。
【０００６】
又、請求項２記載の考案は、複数個の上下の棚板、複数組の左右一対の側板及び天板からなる合成樹脂製の組立棚体と、該複数個の組立棚体を左右方向及び又は前後方向に配置して連結可能な連結機構とからなり、上記連結機構として、上記天板の左右辺部及び前後辺部にそれぞれ天板係脱部が形成され、上記複数個の棚板の前後辺部に棚板係脱部が形成され、該左右方向及び又は前後方向に上記組立棚体を複数個対向配置し、各組立棚体の隣接する各天板の天板係脱部間及び隣接する各棚板の棚板係脱部間に係脱自在に架設される連結部材を設けてなり、上記天板係脱部及び上記棚板係脱部は対向一対の二個の係脱穴部からなり、上記連結部材は隣接する各係脱穴部に挿脱自在な対向一対の計二組の連結凸部からなることを特徴とする組立式整理棚にある。
【０００７】
又、請求項３記載の考案は、上記係脱穴部に挿脱自在な閉塞部材を設けてなることを特徴とするものであり、又、請求項４記載の考案は、上記左右一対の側板に取手凹部を形成してなることを特徴とするものであり、又、請求項５記載の考案は、上記組立棚体の後面に背板を設けてなることを特徴とするものであり、又、請求項６記載の考案は、上記組立棚体の上記天板に収納部材を着脱自在に設けてなることを特徴とするものである。
【考案の効果】
【０００８】
本考案は上述の如く、請求項１記載の考案にあっては、棚板、左右一対の側板及び天板からなる合成樹脂製の組立棚体と、複数個の組立棚体を左右方向及び又は前後方向に配置して連結可能な連結機構とからなり、上記連結機構として、上記天板の左右辺部及び前後辺部にそれぞれ天板係脱部が形成され、上記棚板の前後辺部に棚板係脱部が形成され、左右方向及び又は前後方向に上記組立棚体を複数個対向配置し、各組立棚体の隣接する各天板の天板係脱部間及び隣接する各棚板の棚板係脱部間に係脱自在に架設される連結部材を設けてなり、上記天板係脱部及び上記棚板係脱部は対向一対の二個の係脱穴部からなり、上記連結部材は隣接する各係脱穴部に挿脱自在な対向一対の計二組の連結凸部からなるので、連結部材を各組立棚体の隣接する各天板の天板係脱部間及び隣接する各棚板の棚板係脱部間に係脱して架設することで各組立棚体を左右方向及び又は前後方向に連結することができ、設置スペースに応じて複数個の組立棚体を相互に連結状態で設置することができ、連結部材と天板係脱部間及び棚板係脱部との係脱により容易に連結離反することができ、組立棚体の使用の融通性を高めることができ、上記天板係脱部及び上記棚板係脱部と連結部材との係脱を対向一対の二個の係脱穴部と対向一対の計二組の連結凸部との挿脱により可能となって複数個の組立棚体の連結を容易に行うことができる。
【０００９】
又、請求項２記載の考案にあっては、複数個の上下の棚板、複数組の左右一対の側板及び天板からなる合成樹脂製の組立棚体と、複数個の組立棚体を左右方向及び又は前後方向に配置して連結可能な連結機構とからなり、上記連結機構として、上記天板の左右辺部及び前後辺部にそれぞれ天板係脱部が形成され、上記複数個の棚板の前後辺部に棚板係脱部が形成され、左右方向及び又は前後方向に上記組立棚体を複数個対向配置し、各組立棚体の隣接する各天板の天板係脱部間及び隣接する各棚板の棚板係脱部間に係脱自在に架設される連結部材を設けてなり、上記天板係脱部及び上記棚板係脱部は対向一対の二個の係脱穴部からなり、上記連結部材は隣接する各係脱穴部に挿脱自在な対向一対の計二組の連結凸部からなるので、連結部材を各組立棚体の隣接する各天板の天板係脱部間及び隣接する各棚板の棚板係脱部間に係脱して架設することで各組立棚体を左右方向及び又は前後方向に連結することができ、設置スペースに応じて複数個の組立棚体を相互に連結状態で設置することができ、連結部材と天板係脱部間及び棚板係脱部との係脱により容易に連結離反することができ、組立棚体の使用の融通性を高めることができ、上記天板係脱部及び上記棚板係脱部と連結部材との係脱を対向一対の二個の係脱穴部と対向一対の計二組の連結凸部との挿脱により可能となって複数個の組立棚体の連結を容易に行うことができる。
【００１０】
又、請求項３記載の考案にあっては、上記係脱穴部に挿脱自在な閉塞部材を設けてなるから、閉塞部材を係脱穴部に装着することにより、棚板及び天板の上面を平滑面に維持することができ、又、請求項４記載の考案にあっては、上記左右一対の側板に取手凹部を形成してなるから、取手凹部に指を挿入して組立棚体を容易に移動することができ、又、請求項５記載の考案にあっては、上記組立棚体の後面に背板を設けてなるから、棚板の後方からの収納物の落下を防ぐことができ、又、請求項６記載の考案にあっては、上記組立棚体の上記天板に収納部材を着脱自在に設けてなるから、収納部材に料理レシピ、学校の連絡用紙、広告チラシ等の書類や小物類を収納することができ、使用の利便性を高めることができる。
【図面の簡単な説明】
【００１１】
【図１】本考案の実施の第一形態例の部分斜視図である。
【図２】本考案の実施の第一形態例の全体斜視図である。
【図３】本考案の実施の第一形態例の全体分解斜視図である。
【図４】本考案の実施の第一形態例の部分正断面図である。
【図５】本考案の実施の第一形態例の部分正断面図である。
【図６】本考案の実施の第一形態例の側断面図である。
【図７】本考案の実施の第一形態例の部分側断面図である。
【図８】本考案の実施の第一形態例の部分斜視図である。
【図９】本考案の実施の第一形態例の分解斜視図である。
【図１０】本考案の実施の第一形態例の部分側断面図である。
【図１１】本考案の実施の第一形態例の分解斜視図である。
【図１２】本考案の実施の第一形態例の側断面図である。
【図１３】本考案の実施の第一形態例の分解斜視図である。
【図１４】本考案の実施の第一形態例の部分正断面図である。
【図１５】本考案の実施の第一形態例の全体斜視図である。
【図１６】本考案の実施の第一形態例の分解斜視図である。
【図１７】本考案の実施の第一形態例の部分正断面図である。
【図１８】本考案の実施の第二形態例の全体斜視図である。
【図１９】本考案の実施の第三形態例の全体斜視図である。
【図２０】本考案の実施の第三形態例の分解斜視図である。
【図２１】本考案の実施の第三形態例の全体斜視図である。
【図２２】本考案の実施の第四形態例の全体斜視図である。
【考案を実施するための形態】
【００１２】
図１乃至図２２は本考案の実施の形態例を示し、図１乃至図１７は請求項１の考案に対応する第一形態例、図１８は請求項１の考案に対応する第二形態例、図１９乃至図２１は請求項２の考案に対応する第三形態例、図２２は請求項２の考案に対応する第四形態例である。
【００１３】
図１乃至図１７は請求項１の考案に対応する第一形態例を示し、Ｓは組立棚体であって、図２、図３、図４の如く、合成樹脂製にして、相互に組立可能な棚板１、左右一対の側板２・２及び天板３からなる前面及び後面が開口された四角枠状に形成されている。
【００１４】
この場合、図３、図６の如く、上記棚板１は合成樹脂製の棚面板１ａの周辺部に周辺板１ｂが垂下形成され、棚板１の左右辺部中央部に嵌着凸部１ｃ・１ｃが形成され、又、この場合、図３、図５の如く、上記側板２は合成樹脂製の側面板２ａの周辺部に周辺板２ｂが形成され、各側板２の下部中央部に上記棚板１の嵌着凸部１ｃ・１ｃが嵌着可能な嵌着凹部２ｃ・２ｃが形成され、各側板２の上部に前後一対の嵌着凸部２ｄ・２ｄが形成され、各側板２の下部左右部に側板２の上記前後一対の嵌着凸部２ｄ・２ｄが嵌着可能な嵌着凹部２ｅ・２ｅが形成され、又、この場合、図３、図７の如く、上記天板３は合成樹脂製の天面板３ａの周辺部に周辺板３ｂが垂下形成され、天板３の左右辺部に上記前後一対の嵌着凸部２ｄ・２ｄに嵌着可能な前後一対の嵌着凹部３ｃ・３ｃがそれぞれ形成され、上記棚板１と側板２とは嵌着凸部１ｃ・１ｃと嵌着凹部２ｃ・２ｃとの嵌着により組み立て、上記側板２と上記天板３とは嵌着凸部２ｄ・２ｄと嵌着凹部３ｃ・３ｃとの嵌着により組立自在に設けて構成している。
【００１５】
４は連結機構であって、図７、図１５、図１６の如く、上記複数個の組立棚体Ｓ・Ｓ・・を左右方向及び又は前後方向に配置して連結可能な構造とされ、この場合、上記連結機構４として、上記天板３の左右辺部に一個宛及び前後辺部に二個宛、それぞれ計六個の天板係脱部３ｄ・３ｄ・・が形成され、上記棚板１の前後辺部に二個宛、計四個の棚板係脱部１ｄ・１ｄ・・が形成され、左右方向及び又は前後方向に上記組立棚体Ｓを複数個対向配置し、各組立棚体Ｓ・Ｓ・・の隣接する各天板３・３の天板係脱部３ｄ・３ｄ・・間及び隣接する各棚板１の棚板係脱部１ｄ・１ｄ・・間に係脱自在に架設される連結部材５を設けて構成している。
【００１６】
この場合、上記天板係脱部３ｄ・３ｄ・・及び上記棚板係脱部１ｄ・１ｄ・・は係脱穴部Ｋ、この場合、対向一対の二個の係脱穴部Ｋ・Ｋからなり、上記連結部材５は隣接する各係脱穴部Ｋ・Ｋに挿脱自在な対向一対の計二組の連結凸部Ｔ・Ｔからなり、この場合、図１、図１６の如く、上記連結部材５として、架材Ｈに対向一対の計二組の連結凸部Ｔ・Ｔが形成され、連結凸部Ｔ・Ｔの側面に係止突部Ｔ１・Ｔ１が形成され、上記係脱穴部Ｋ・Ｋの周囲に架材Ｈの厚さと略同寸法の深さの凹面部Ｋ１が形成されている。
【００１７】
６は閉塞部材であって、この場合、図８、図９、図１０の如く、合成樹脂製にして、上記凹面部Ｋ１の深さと同厚の基材Ｇに上記対向一対の係脱穴部Ｋ・Ｋに挿脱自在であって上記連結凸部Ｔ・Ｔと同様な対向一対の閉塞凸部Ｅ・Ｅが形成され、閉塞凸部Ｅ・Ｅの側面に係止突部Ｅ１・Ｅ１が形成されている。
【００１８】
７は取手凹部であって、この場合、図２の如く、上記左右一対の側板２・２の上部中央部に凹状に形成され、取手凹部７に指を挿入して組立棚体Ｓを容易に移動可能に構成している。
【００１９】
８は背板であって、この場合、図１１、図１２の如く、合成樹脂製にして、上下一対の二枚の背板片８ａ・８ｂから構成され、上記組立棚体Ｓの後面に着脱自在に設けられている。
【００２０】
９は収納部材であって、図１３、図１４の如く、上記組立棚体Ｓの上記天板３に着脱自在に設けられ、この場合、合成樹脂製にして、収納部材９は収納容体９ａの上部に上記天板係脱部３ｄ・３ｄ・・の各係脱穴部Ｋ・Ｋに挿脱自在な対向一対の連結凸部Ｔ・Ｔを形成し、連結凸部Ｔ・Ｔの側面に係止突部Ｔ１・Ｔ１が形成されている。
【００２１】
この実施の第一形態例は上記構成であるから、例えば、図１５、図１６、図１７の如く、連結機構４として、上記天板３の左右辺部及び前後辺部にそれぞれ天板係脱部３ｄ・３ｄ・・が形成され、左右方向に上記組立棚体Ｓを二個対向配置し、各組立棚体Ｓ・Ｓの隣接する各天板３・３の天板係脱部３ｄ・３ｄ・・間に係脱自在に架設される連結部材５を設けてなるから、連結部材５を各組立棚体Ｓ・Ｓの隣接する各天板３・３の天板係脱部３ｄ・３ｄ・・間に係脱して架設することで各組立棚体Ｓ・Ｓを左右方向に連結することができ、設置スペースに応じて複数個の組立棚体Ｓ・Ｓ・・を相互に連結状態で設置することができ、連結部材５と天板係脱部３ｄ・３ｄ・・間との係脱により容易に連結離反することができ、組立棚体Ｓの使用の融通性を高めることができる。
【００２２】
又、この場合、上記天板係脱部３ｄ・３ｄ・・は対向一対の二個の係脱穴部Ｋからなり、上記連結部材５は隣接する各係脱穴部Ｋ・Ｋに挿脱自在な対向一対の計二組の連結凸部Ｔ・Ｔからなるので、上記天板係脱部３ｄ・３ｄ・・と連結部材５との係脱を係脱穴部Ｋ・Ｋと連結凸部Ｔ・Ｔとの挿脱により可能となって複数個の組立棚体Ｓ・Ｓ・・の連結を容易に行うことができ、又、この場合、上記係脱穴部Ｋ・Ｋに挿脱自在な閉塞部材６を設けてなるから、閉塞部材６を係脱穴部Ｋ・Ｋに装着することにより、棚板１及び天板３の上面を平滑面に維持することができ、又、この場合、上記左右一対の側板２・２に取手凹部７を形成してなるから、取手凹部７に指を挿入して組立棚体Ｓを容易に移動することができ、又、この場合、上記組立棚体Ｓの後面に背板８を設けてなるから、棚板１の後方からの収納物の落下を防ぐことができ、又、この場合、上記組立棚体Ｓの上記側板２・２に収納部材９を着脱自在に設けてなるから、収納部材９に料理レシピ、学校の連絡用紙、広告チラシ等の書類や小物類を収納することができ、使用の利便性を高めることができる。
【００２３】
図１８は請求項１の考案に対応する第二形態例を示し、この場合、上記二個の組立棚体Ｓ・Ｓを前後方向に配置して連結機構４により連結する構造とし、各組立棚体Ｓ・Ｓの構造は上記第一形態例の組立棚体Ｓ・Ｓと同構造となっている。
【００２４】
この実施の第二形態例にあっては、上記第一形態例と同様、連結部材５を各組立棚体Ｓ・Ｓの隣接する各天板３・３の天板係脱部３ｄ・３ｄ・・間及び隣接する各棚板１・１・・の棚板係脱部１ｄ・１ｄ・・間に係脱して架設することで各組立棚体Ｓ・Ｓを前後方向に連結することができ、設置スペースに応じて複数個の組立棚体Ｓ・Ｓ・・を相互に連結状態で設置することができ、連結部材５と天板係脱部３ｄ・３ｄ・・間及び棚板係脱部１ｄ・１ｄ・・との係脱により容易に連結離反することができ、組立棚体Ｓの使用の融通性を高めることができる。
【００２５】
図１９乃至図２１は請求項２の考案に対応する第三形態例を示し、この場合、Ｐは組立棚体であって、図１９、図２０の如く、合成樹脂製にして、複数個、この場合、上下の三個の棚板１・１・１、複数組、この場合、三組の左右一対の側板２・２及び天板３からなる前面及び後面が開口された四角枠状に形成され、棚板１・１・１、側板２・２及び天板３は上記第一形態例と同構造となっている。
【００２６】
この実施の第三形態例にあっては、上記第一形態例と同様、連結部材５を二個の組立棚体Ｐ・Ｐの隣接する各天板３・３の天板係脱部３ｄ・３ｄ・・間に係脱して架設することで各組立棚体Ｐ・Ｐを左右方向に連結することができ、設置スペースに応じて複数個の組立棚体Ｐ・Ｐ・・を相互に連結状態で設置することができ、連結部材５と天板係脱部３ｄ・３ｄ・・間との係脱により容易に連結離反することができ、組立棚体Ｐの使用の融通性を高めることができる。
【００２７】
図２２は請求項２の考案に対応する第四形態例を示し、この場合、上記二個の組立棚体Ｐ・Ｐを前後方向に配置して連結機構４により連結する構造とし、各組立棚体Ｐ・Ｐの構造は上記第一形態例の組立棚体Ｓ・Ｓと同構造となっている。
【００２８】
この実施の第四形態例にあっては、上記第一形態例と同様、連結部材５を各組立棚体Ｐ・Ｐの隣接する各天板３・３の天板係脱部３ｄ・３ｄ・・間及び隣接する各棚板１・１・・の棚板係脱部１ｄ・１ｄ・・間に係脱して架設することで各組立棚体Ｐ・Ｐを前後方向に連結することができ、設置スペースに応じて複数個の組立棚体Ｐ・Ｐ・・を相互に連結状態で設置することができ、連結部材５と天板係脱部３ｄ・３ｄ・・間及び棚板係脱部１ｄ・１ｄ・・との係脱により容易に連結離反することができ、組立棚体Ｐの使用の融通性を高めることができる。
【００２９】
尚、本考案は上記実施の形態例のものに限られるものではなく、例えば、棚板１の段数や形態、組立棚体Ｓ・Ｐの構造、係脱穴部Ｋ、連結凸部Ｔ、棚板係脱部１ｄ、側板２、天板３、天板係脱部３ｄ、連結機構４、連結部材５、閉塞部材６、取手凸部７、背板８、収納部材９の形態等は適宜変更して設計されるものである。
【００３０】
又、上記実施の形態例においては、組立棚体Ｓ・Ｐを左右方向又は奥行方向としての前後方向に二個配置して連結構造としているが、左右方向及び前後方向、左右方向又は前後方向に複数個連結することも可能である。
【００３１】
以上の如く、所期の目的を充分達成することができる。
【符号の説明】
【００３２】
Ｓ    組立棚体
Ｐ    組立棚体
Ｋ    係脱穴部
Ｔ    連結凸部
１    棚板
１ｄ    棚板係脱部
２    側板
３    天板
３ｄ    天板係脱部
４    連結機構
５    連結部材
６    閉塞部材
７    取手凸部
８    背板
９    収納部材
【図１】
0003199898.tif 000003
【図２】
0003199898.tif 000004
【図３】
0003199898.tif 000005
【図４】
0003199898.tif 000006
【図５】
0003199898.tif 000007
【図６】
0003199898.tif 000008
【図７】
0003199898.tif 000009
【図８】
0003199898.tif 000010
【図９】
0003199898.tif 000011
【図１０】
0003199898.tif 000012
【図１１】
0003199898.tif 000013
【図１２】
0003199898.tif 000014
【図１３】
0003199898.tif 000015
【図１４】
0003199898.tif 000016
【図１５】
0003199898.tif 000017
【図１６】
0003199898.tif 000018
【図１７】
0003199898.tif 000019
【図１８】
0003199898.tif 000020
【図１９】
0003199898.tif 000021
【図２０】
0003199898.tif 000022
【図２１】
0003199898.tif 000023
【図２２】
0003199898.tif 000024